(57)【特許請求の範囲】
【請求項１】
動作時に発熱する発熱部品を含む電子部品が収容された筐体と、
前記発熱部品からの熱が伝達される複数のフィンを含む放熱体と、前記放熱体に空気を送るファンとを有し、前記放熱体に伝達された前記発熱部品からの熱を、前記ファンからの空気と熱交換させて、この加温された空気を前記筐体の外部に放出する放熱ユニットとを備えた電子機器であって、
前記ファンの排気口と前記放熱体の前記ファンに対向する側の面との間に両者を連通する連通路が設けられ、
前記連通路には前記筐体の外面に形成された開口と連通する塵埃除去路が設けられ、
前記塵埃除去路は、前記ファンからの空気の流れる方向と逆の方向に対して９０°以下の角度をもって設けられ、
前記開口は、前記ファンの排気口よりも、前記ファンからの空気の流れる方向と逆の方向に位置することを特徴とする電子機器。
【請求項２】
前記連通路は、前記塵埃除去路に接続部分のみに開口を備え、他の部分は前記放熱体および前記排気口が気密に構成される、請求項１に記載の電子機器。
【発明の詳細な説明】
【技術分野】
【０００１】
本開示は、熱交換用の複数のフィンを備えた放熱体を有する放熱ユニットを搭載した電子機器に関する。
【背景技術】
【０００２】
この種の電子機器としては、ノートパソコンがある。ノートパソコンに搭載される放熱ユニットにおいては、中央処理装置（ＣＰＵ）等の、動作時に発熱する電子部品（発熱部品）からの熱を、ヒートパイプ等によって放熱体に伝熱し、そこでファンから送られてくる空気（冷却風）と熱交換させて、この加温された空気をノートパソコン等の筐体の外部に放出することにより、発熱部品を効果的に冷却するようにされている。
【０００３】
かかる従来の放熱ユニットにおいては、その放熱効果をより向上させるためにフィンの表面積を大きくすることが有効であり、限られた狭い空間内に狭い配列間隔で複数のフィンが配列されている。しかし、複数のフィンの配列間隔を狭くすると、ファンから送られてくる空気（冷却風）に含まれる細かい塵埃が、特に、放熱体とファンとが対向する側（吸気側）の面に付着し易くなる。そして、放熱体に付着した塵埃は、一旦付着してしまうと急速に堆積し易くなり、堆積した塵埃が放熱体の吸気側の面全体を覆ってしまう。その結果、隣り合うフィンの間隙にファンからの冷却風を送り込むことが困難となり、放熱ユニットの放熱効果を著しく損ねてしまうことになる。
【０００４】
そこで、従来、以下のような、放熱体に付着した塵埃を除去する機構を備えた放熱ユニットが提案されている（特許文献１参照）。
【０００５】
すなわち、特許文献１で提案されている放熱ユニットは、図９に示すように、複数の流路５１が形成された、熱交換用の複数のフィン５２を有する放熱体５０と、放熱体５０の吸気側に配置され、流路５１に挿通させて、放熱体５０に付着した塵埃を除去する掃除部材であるブラシ５３と、ブラシ５３を外郭部材５４に回動自在に支持するためのブラシ回動軸５５及びブラシ駆動軸５６と、ブラシ５３を駆動させることが可能な例えばモータ等のブラシ駆動部５７とを備えている。
【先行技術文献】
【特許文献】
【０００６】
【特許文献１】特開２００８−３０６００１号公報
【発明の概要】
【発明が解決しようとする課題】
【０００７】
しかし、特許文献１で提案されている放熱ユニットを搭載した電子機器では、ブラシやモータ等のブラシ駆動部などを新たに組み込む必要があるために、部品点数及び組立工数が増えると共に、これらの部品の収納スペースを確保する必要もあり、コスト高に繋がるという問題がある。また、特許文献１で提案されている放熱ユニットを搭載した電子機器では、部品点数が増えることにより、重量が増加するという問題もある。
【０００８】
本開示は、従来技術における課題を解決するためになされたものであり、コストの上昇及び重量の増加を抑え、簡単な構成で、放熱体に付着した塵埃を除去することができる放熱ユニットを搭載した電子機器を提供することを目的とする。
【課題を解決するための手段】
【０００９】
上記目的を達成するため、本開示に係る電子機器の構成は、動作時に発熱する発熱部品を含む電子部品が収容された筐体と、発熱部品からの熱が伝達される複数のフィンを含む放熱体と、放熱体に空気を送るファンとを有し、放熱体に伝達された発熱部品からの熱を、ファンからの空気と熱交換させて、この加温された空気を筐体の外部に放出する放熱ユニットとを備えた電子機器であって、ファンの排気口と放熱体のファンに対向する側の面との間に両者を連通する連通路が設けられ、連通路には筐体の外部と連通する塵埃除去路が設けられる。
【発明の効果】
【００１０】
本開示によれば、コストの上昇及び重量の増加を抑え、簡単な構成で、放熱体に付着した塵埃を除去することができる放熱ユニットを搭載した電子機器を提供することができる。
【図面の簡単な説明】
【００１１】
【図１】図１は、一実施の形態における電子機器の一例としてのノートパソコンの外観構成を示す概略斜視図である。
【図２】図２は、一実施の形態における電子機器の一例としてのノートパソコンの放熱ユニットの主要な構成を示す概略分解斜視図である。
【図３】図３は、一実施の形態における電子機器の一例としてのノートパソコンの放熱ユニットの構成を示す概略水平断面図である。
【図４】図４は、図３のＡ−Ａ’線概略断面図（概略垂直断面図）である。
【図５】図５は、一実施の形態における電子機器の一例としてのノートパソコンの放熱ユニットを構成する塵埃除去路の形状を示す概略斜視図である。
【図６】図６は、一実施の形態における電子機器の一例としてのノートパソコンの放熱ユニットの、放熱体に付着した塵埃を除去する方法を説明するための概略垂直断面図である。
【図７】図７は、一実施の形態における電子機器の一例としてのノートパソコンの放熱ユニットを構成する塵埃除去路の形状の他の例を示す概略斜視図である。
【図８】図８は、一実施の形態における電子機器の一例としてのノートパソコンの放熱ユニットの構成の他の例を示す概略垂直断面図である。
【図９】図９は、従来の放熱ユニットの構成を示す概略水平断面図である。
【発明を実施するための形態】
【００１２】
本開示の電子機器の構成によれば、掃除機等を用いて、塵埃除去路を介して吸引することにより、筐体の外部の空気が放熱体の複数のフィンの間隙、連通路及び塵埃除去路を通って吸引され、それに追従して放熱体のファンに対向する側の面に付着した塵埃も一緒に吸引される。このように、本開示の電子機器の構成によれば、コストの上昇及び重量の増加を抑え、ファンの排気口と放熱体のファンに対向する側の面との間に両者を連通する連通路を設け、連通路に筐体の外部と連通する塵埃除去路を設けるという簡単な構成で、放熱体に付着した塵埃を除去することができる放熱ユニットを搭載した電子機器を提供することが可能となる。
【００１３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、発明者らは、当業者が本開示を十分に理解するために添付図面および以下の説明を提供するのであって、これらによって特許請求の範囲に記載の主題を限定することを意図するものではない。
【００１５】
以下、電子機器がノートパソコンの場合を例示しながら、実施の形態を用いてさらに具体的に説明する。
【００１６】
［電子機器の構成］
図１は、一実施の形態におけるノートパソコン１の外観構成を示す概略斜視図である。
【００１７】
図１に示すように、ノートパソコン１においては、内側面に液晶パネルなどの表示デバイス１２が配置された蓋体１０が、表面にキーボード２１やポインティングデバイス２２などの入力装置が配置された本体部２０に対して、ヒンジ機構１１を介して回動可能に取り付けられている。
【００１８】
本体部２０の内部には、ノートパソコン１の動作電源である図示しない二次電池や、主記録デバイスである図示しないハードディスクドライブ（ＨＤＤ）、その他の電気部品が配置されている。尚、ノートパソコン１は、例えば、無線ＬＡＮ通信のためのアンテナモジュール、ブルーレイディスクやＤＶＤディスクに対応したディスクドライブ、ウェブカメラ素子、音声マイクやスピーカ、その他各種の入出力端子などを備えることができるが、これらの機能や形状は従来周知のノートパソコンと同様であるため、図示及び詳細な説明は省略する。
【００１９】
［放熱ユニットの構成］
次に、ノートパソコン１に搭載される放熱ユニット３０の構成について、図２乃至図４を参照しながら説明する。図２は、ノートパソコン１の放熱ユニット３０の主要な構成を示す概略分解斜視図、図３は、この放熱ユニット３０の構成を示す概略水平断面図、図４は、図３のＡ−Ａ’線概略断面図（概略垂直断面図）である。尚、図２においては、本体部２０の内部に配置された各種の電子部品の中でも、動作時に最も温度が高くなる代表的な発熱部品である中央処理装置（ＣＰＵ）２４と、ＣＰＵ２４の熱を本体部２０の外殻を構成する筐体２０ａの外部に放出する放熱ユニット３０の近傍のみを拡大して示している。
【００２０】
図２に示すように、ノートパソコン１の本体部２０の表面に配置されたキーボード２１の下側部分には、ＣＰＵ２４が回路基板２３上に実装されて配置されている。ＣＰＵ２４の上面には、ＣＰＵ２４の動作時に発生する熱を受け取るための受熱部２５が配置されている。受熱部２５は、バネ状の脚部を有する固着部材２６によって、熱源であるＣＰＵ２４に押し付けられるように固着されている。
【００２１】
受熱部２５には、受け取った熱を放熱ユニット３０に伝達するための、例えば銅製のヒートパイプ２７の一端部が接続されており、ヒートパイプ２７の他端部分は後述する放熱体３７の上面に接続されている。ここで、ヒートパイプ２７内には、例えば熱伝導性の高い代替フロンなどの熱伝導媒体が封入されており、受熱部２５が受け取ったＣＰＵ２４からの熱を効率良く放熱体３７に伝達することができる。
【００２２】
ノートパソコン１に搭載されるＣＰＵ２４からの熱を、効果的に本体部２０の筐体２０ａの外部に放出するための放熱ユニット３０は、ＣＰＵ２４からの熱が伝達される複数のフィン３７ａを備えた放熱体３７と、放熱体３７に空気（冷却風）を送るファン３１とを有している。上述したように、放熱体３７の上面には、ヒートパイプ２７の他端部分が接続されている。そして、放熱体３７に伝達されたＣＰＵ２４からの熱は、ファン３１からの空気（冷却風）と熱交換され、この加温された空気が筐体２０ａの外部に放出される。ここで、放熱体３７で加温された空気は、放熱体３７の形状に対応させて筐体２０ａにスリットとして形成された放出口２８（図１、及び、後述する図３、図４参照）から、筐体２０ａの外部に放出される。また、ファン３１から放熱体３７に送られる空気（冷却風）は、ファンケース３２の上面に形成された吸入口３２ａから吸入されたものである。
【００２３】
図２乃至図４に示すように、ファン３１は、ファンケース３２の内部に収容されたファン本体３３が回転軸３４を軸心として回転することにより、ファンケース３２の上面に形成された吸入口３２ａから周囲の空気を取り込み、放熱体３７側の排気口３２ｂから冷却風として吹き出す。尚、図２乃至図４に示したファン３１の全体形状や吸入口３２ａの形状、回転軸３４の周りを回るファン本体３３の形状等は例示に過ぎず、ファン３１としては、周囲の空気を吸入口から吸入して排気口から吹き出すことができるものであれば、従来用いられてきた各種の形態の空冷ファンを使用することができる。
【００２４】
放熱体３７は、熱伝導性が高い例えば銅などの金属製であり、複数の薄い板状のフィン３７ａが、ファン３１から筐体２０ａの外部に向けて吹き出される冷却風が流れる方向に沿って平行に形成されている。そして、放熱体３７のフィン３７ａの間隙を通過した冷却風は、放熱体３７の形状に対応させて筐体２０ａにスリットとして形成された放出口２８から、筐体２０ａの外部に放出される。尚、放熱体３７の下面は、ファン３１の排気口３２ｂの下面と面一であり、放熱体３７の大きさ、特に、ファン３１側から見た幅と高さとは、ファン３１の排気口３２ｂの幅と高さと同じにされている。
【００２５】
［塵埃除去機構］
次に、放熱ユニット３０を構成する塵埃除去機構について、図２乃至図５を参照しながら説明する。図５は、ノートパソコン１の放熱ユニット３０を構成する塵埃除去路の形状を示す概略斜視図である。
【００２６】
図２乃至図５に示すように、放熱ユニット３０においては、ファン３１のファンケース３２に設けられた排気口３２ｂに密着させて放熱体３７を配置する構成は採用せず、ファン３１の排気口３２ｂと放熱体３７との間に、放熱体３７のファン３１と対向する側の面（放熱体３７にファン３１から空気（冷却風）が流入する流入面）３７ｂに付着する塵埃を除去するための塵埃除去機構３５が配置されている。
【００２７】
より具体的には、ファン３１の排気口３２ｂと放熱体３７の流入面３７ｂとの間に両者を連通する連通路３６が設けられ、連通路３６には筐体２０ａの外部と連通する塵埃除去路３８が設けられている。すなわち、図３乃至図５に示したように、塵埃除去路３８は連通路３６の下面に備える第１の開口３６ａで接続され、この第１の開口３６ａ以外の連通路３６は、ファン３１の排気口３２ｂおよび放熱体３７の流入面３７ｂと気密に構成している。
【００２８】
このような構成の塵埃除去機構３５を、ファン３１の排気口３２ｂと放熱体３７との間に配置すれば、塵埃除去機構３５は、塵埃除去路３８の設置面の第１の開口３６ａ以外の面がファン３１の排気口３２ｂおよび放熱体３７の流入面３７ｂと気密に構成されているため、例えば掃除機等を用いて、塵埃除去路３８を介して吸引することにより、筐体２０ａの外部の空気が放熱体３７の複数のフィン３７ａの間隙、連通路３６及び塵埃除去路３８を通って吸引され、それに追従して放熱体３７の流入面３７ｂに付着した塵埃も一緒に吸引される。その結果、ファン３１の排気口３２ｂと放熱体３７の流入面３７ｂとの間に両者を連通する連通路３６を設け、連通路３６に筐体２０ａの外部と連通する塵埃除去路３８を設けるという簡単な構成で、コストの上昇及び重量の増加を抑え、放熱体３７に付着した塵埃を除去することができる放熱ユニット３０を搭載したノートパソコン１を提供することが可能となる。
【００２９】
ここで、塵埃除去路３８は、連通路３６の下面に形成された第１の開口３６ａと筐体２０ａの下面に形成された第２の開口２０ｂとを接続している。この構成を採れば、放熱体３７のフィン３７ａの面に沿った方向に連通路３６内の空気が吸引されることになるので、例えば第１の開口３６ａを連通路３６における空気（冷却風）流れの向きのいずれかの端面（図３における左右）に形成した場合に比べると、放熱体３７に付着した塵埃を効率良く除去することができる。また、塵埃除去路３８が放熱ユニット３０の本体の下側に位置することとなり、当該塵埃除去路３８の収納スペースを別途確保する必要はないので、コストの上昇を抑えることができる。
【００３０】
第１の開口３６ａ及び第２の開口２０ｂは、図５に示すように、ファン３１から空気が流れる方向と直交する方向に、連通路３６の幅と同じ長さで形成されている。この構成を採れば、第２の開口２０ｂに掃除機の吸引口を当てた状態で、掃除機の吸引口を第２の開口２０ｂの長さ方向に動かすことにより、放熱体３７の流入面３７ｂに付着した塵埃を全面にわたって容易に除去することができる。
【００３１】
塵埃除去路３８は、ファン３１からの空気の流れる方向と逆の方向（放熱体３７からファン３１に向かう方向）に対して９０°以下の角度をもって設けられている。塵埃除去路３８をこのような角度をもって設けることにより、ファン３１のファンケース３２に設けられた排気口３２ｂと放熱体３７の流入面３７ｂとの間に第１の開口３６ａを配置する構成であっても、ファン３１からの空気（冷却風）を、塵埃除去路３８から漏らすことを抑制し、効率的に放熱体３７の放熱のために利用することができる。また、塵埃除去路３８をこのような角度をもって設けることにより、ファン３１から放熱体３７に向かう空気（冷却風）の流れに追従して、塵埃除去路３８を通って外部の空気が連通路３６内に引き込まれ、ファン３１からの空気（冷却風）と一緒に放熱体３７を通過することになるので、筐体２０ａの外部に放出される熱風の温度を低下させることが可能となる。
【００３２】
さらに、開口２０ｂは、ファン３１の排気口３２ｂよりも、ファン３１からの空気の流れる方向を基準に、当該方向とは逆の方向に配置されている。本実施の形態では開口２０ｂはファン３１の下方向に位置する。このようにすると、塵埃除去路３８から引き込まれる空気の流れがファン３１からの空気を乱し辛くなり、冷却効率が向上する。
【００３３】
さらに、図４、図５に示すように、塵埃除去路３８は、ファン３１からの空気の流れる方向にほぼ沿うように方向付けされた構成を備える。塵埃除去路３８をこのような状態で方向付けすることにより、ファン３１からの空気（冷却風）が塵埃除去路３８から漏れることをさらに抑えることができ、また、外部の空気の連通路３６内への引き込みをさらに加速させることができるので、上記の筐体２０ａの外部に放出される熱風の温度を低下させる効果を確実に発揮させることができる。
【００３４】
尚、図４に示すように、放熱体３７の下面をファン３１の排気口３２ｂの下面と面一にすることにより、塵埃除去路３８を、容易に、ファン３１からの空気の流れる方向と逆の方向（放熱体３７からファン３１に向かう方向）に対して９０°以下の角度をもって設けることができる。
【００３５】
図３、図４に示すように、放熱体３７の、流入面３７ｂと反対側の面（排気側の面）には、当該排気側の面を開閉する第１のシャッタ手段３９が設けられている。そして、第１の開口３６ａが連通路３６の下面に形成されている場合には、第１のシャッタ手段３９は、放熱体３７の当該排気側の面をその下端側から段階的に閉めるように作動する構成とすることができる。このような構成を備える第１のシャッタ手段３９を設けることにより、筐体２０ａの外部から放熱体３７を通って連通路３６内に吸引される空気の経路を、放熱体３７の上部の方へ段階的に移動させることができるので、放熱体３７の上部に付着した塵埃も容易に除去することが可能となる。
【００３６】
また、ファン３１の排気口３２ｂには、当該排気口３２ｂを開閉する第２のシャッタ手段４０が設けられている。この構成を採れば、放熱体３７の流入面３７ｂに付着した塵埃を除去する際に、第２のシャッタ手段４０によってファン３１の排気口３２ｂを閉めることにより、ファン３１側の空気を吸引することはないので、放熱体３７の流入面３７ｂに付着した塵埃を効率良く除去することができる。
【００３７】
尚、第１のシャッタ手段３９及び第２のシャッタ手段４０としては、例えば、スライド開閉式、巻き取り開閉式、ヒンジ開閉式、ブラインド開閉式等、様々の方式のものを用いることができる。また、第１シャッタ手段３９及び第２のシャッタ手段４０は、開閉スイッチ等を操作することにより、作動させることができる。
【００３８】
［塵埃の除去方法］
次に、ノートパソコン１に搭載された放熱ユニット３０の、放熱体３７に付着した塵埃を除去する方法について、図５、図６を参照しながら説明する。図６は、ノートパソコン１における放熱ユニット３０の放熱体３７に付着した塵埃の除去方法を説明するための概略垂直断面図である。
【００３９】
ＣＰＵ２４などの発熱部品が動作して発生した熱を、放熱体３７から放熱するためにファン３１が動作している状態では、放熱体３７の排気側の面を開閉する第１のシャッタ手段３９と、ファン３１の排気口３２ｂを開閉する第２のシャッタ手段４０とは、共に開状態となっている。
【００４０】
放熱体３７の流入面３７ｂに付着した塵埃を除去する場合には、ファン３１の排気口３２ｂを開閉する第２のシャッタ手段４０を閉状態にすると共に、筐体２０ａの下面に形成された第２の開口２０ｂに掃除機４１の吸引口４１ａを当てた状態で、掃除機４１を動作させる。これにより、筐体２０ａの外部の空気が放出口２８、放熱体３７の複数のフィン３７ａの間隙、連通路３６及び塵埃除去路３８を通って吸引され、それに追従して放熱体３７の流入面３７ｂに付着した塵埃も一緒に吸引される。
【００４１】
この場合、図５に矢印⇔で示すように掃除機４１の吸引口４１ａを第２の開口２０ｂの長さ方向に動かすことにより、放熱体３７の流入面３７ｂに付着した塵埃を全面にわたって容易に除去することができる。
【００４２】
また、掃除機４１による吸引中に、第１のシャッタ手段３９を、放熱体３７の排気側の面をその下端側から段階的に閉めるように作動させれば、筐体２０ａの外部から放熱体３７を通って連通路３６内に吸引される空気の経路を放熱体３７の上部の方へ段階的に移動させることができるので、放熱体３７の上部に付着した塵埃も容易に除去することができる。
【００４３】
尚、本実施の形態においては、掃除機４１を用いて、塵埃除去路３８を介して放熱体３７の流入面３７ｂに付着した塵埃を吸引する場合を例に挙げて説明したが、放熱体３７の排気側の面を開閉する第１のシャッタ手段３９を閉状態にし、ファン３１の排気口３２ｂを開閉する第２のシャッタ手段４０を開状態にすれば、ファン３１の空気流だけで放熱体３７の流入面３７ｂに付着した塵埃を除去することができる。
【００４４】
尚、本実施の形態においては、塵埃除去路３８を、ファン３１からの空気の流れる方向と逆の方向（放熱体３７からファン３１に向かう方向）に対して９０°以下の角度をもって設けるようにしているが、必ずしもかかる構成のものに限定されるものではない。不使用時に塵埃除去路３８に蓋等をして、ファン３１からの空気（冷却風）が塵埃除去路３８から漏れることを防止することができれば、塵埃除去路３８を、ファン３１からの空気の流れる方向（ファン３１から放熱体３７に向かう方向）に対して９０°以下の角度をもって設けるようにしてもよい。この構成は、例えば、第１の開口３６ａを開閉する第３のシャッタ手段を設ける等によっても実現することができる。但し、外部の空気の連通路３６内への引き込み効果を得るためには、塵埃除去路３８を、ファン３１からの空気の流れる方向と逆の方向（放熱体３７からファン３１に向かう方向）に対して９０°以下の角度をもって設けるようにすることもできる。
【００４５】
また、本実施の形態においては、塵埃除去路３８が、連通路３６の下面に形成された第１の開口３６ａと筐体２０ａの下面に形成された第２の開口２０ｂとを接続するように設けられているが、必ずしもかかる構成のものに限定されるものではない。例えば、第１の開口３６ａを、連通路３６の左右いずれかの端面あるいは上面に形成するようにしてもよい。但し、放熱体３７に付着した塵埃を効率良く除去することができ、かつ、塵埃除去路３８の収納スペースを別途確保する必要がない点で、塵埃除去路３８は、連通路３６の下面に形成された第１の開口３６ａと筐体２０ａの下面に形成された第２の開口２０ｂとを接続するように設けられることもできる。
【００４６】
また、本実施の形態においては、塵埃除去路３８が接続される、筐体２０ａの下面に形成された第２の開口２０ｂが、ファン３１からの空気の流れる方向と直交する方向に沿って連通路３６の幅と同じ長さで形成されている場合を例に挙げて説明したが（図５参照）、第２の開口２０ｂは、ファン３１からの空気の流れる方向と直交する方向に沿って連通路３６の幅よりも短い長さで形成されていてもよい。また、第２の開口２０ｂは、例えば図７に示すような円口であってもよい。
【００４７】
また、本実施の形態においては、放熱体３７の下面とファン３１の排気口３２ｂの下面とが同一面の場合を例に挙げて説明したが、例えば図８に示すように、放熱体３７の下面はファン３１の排気口３２ｂの下面よりも下側に位置していてもよい。この構成を採れば、塵埃除去路３８を、さらに容易に、ファン３１からの空気の流れる方向と逆の方向（放熱体３７からファン３１に向かう方向）に対して９０°以下の角度をもって設けることが可能となる。そして、これにより、ファン３１から放熱体３７に向かう空気（冷却風）の流れに追従して、外部の空気が第２の開口２０ｂから第１の開口３６ａを経て引き込まれ、ファン３１からの空気（冷却風）と一緒に放熱体３７を通過することになるので、放出口２８から外部に放出される熱風の温度を低下させることが可能となる。尚、図８に示す構成においては、第２の開口２０ｂがファン３１の下方に配置されているため、放熱体３７の流入面３７ｂがファン３１の排気口３２ｂに対して下方向に拡大されているが、放熱体３７の流入面３７ｂは、第２の開口２０ｂを配置する向きに拡大すればよい。
【００４８】
また、本実施の形態においは、放熱体３７の排気側の面を開閉する第１のシャッタ手段３９とファン３１の排気口３２ｂを開閉する第２のシャッタ手段４０とを設けた場合を例に挙げて説明したが、これら第１及び第２のシャッタ手段３９、４０は必ずしも必須の構成部材ではない。また、第１及び第２のシャッタ手段３９、４０のいずれか一方を設ける構成とすることもできる。
【００４９】
また、本実施の形態においては、電子機器として、本体部２０に対して内側面に表示デバイス１２が配置された蓋体１０が回動可能に取り付けられた形態のノートパソコン１を例に挙げて説明したが、電子機器はこのようなノートパソコン１に限定されるものではない。例えば、タブレット型のパソコンや、携帯電話、携帯用ゲーム機、小型のテレビ受像器やブルーレイディスクプレイヤ、ナビゲーションシステムなどの各種携帯型の電子機器、さらには、デスクトップパソコンや液晶プロジェクタなどの据え置きタイプの各種の電子機器であってもよい。
【００５０】
また、本実施の形態においては、動作中に発熱する発熱部品としてＣＰＵ２４を例に挙げて説明したが、発熱部品はＣＰＵ２４に限定されるものではない。ビデオボードなどの画像処理用の半導体チップや二次電池など、その発熱を筐体の外部に放出すべき各種の発熱部品が対象となり得る。
【００５１】
また、本実施の形態においては、ＣＰＵ２４からの熱を、ヒートパイプ２７を用いて放熱体３７に伝達する場合を例に挙げて説明したが、放熱体３７を直接発熱部品であるＣＰＵ２４に熱伝導可能に接触配置させることもできる。
【００５２】
以上のように、本開示における技術の例示として、実施の形態を説明した。そのために、添付図面および詳細な説明を提供した。
【００５３】
したがって、添付図面および詳細な説明に記載された構成要素の中には、課題解決のために必須な構成要素だけでなく、上記実装を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５４】
また、上述の実施の形態は、本開示における技術を例示するためのものであるから、特許請求の範囲またはその均等の範囲において種々の変更、置き換え、付加、省略などを行うことができる。
【産業上の利用可能性】
【００５５】
本開示によれば、コストの上昇及び重量の増加を抑え、簡単な構成で、放熱体に付着した塵埃を除去することができる放熱ユニットを搭載した電子機器を提供することができる。従って、筐体内の発熱部品からの熱を外部に放出する際に、ファンからの冷却風を効果的に使用することができる高い放熱効果を備えた電子機器として、例えばタブレット型のパソコン、携帯電話。携帯用ゲーム機、小型のテレビ受像器、ディスクプレイヤ、ナビゲーションシステムなどの各種携帯型の電子機器、さらには、デスクトップパソコンや液晶プロジェクタなどの据え置きタイプの各種の電子機器などの各種用途に適用可能である。
【符号の説明】
【００５６】
１  ノートパソコン（電子機器）
２０  本体部
２０ａ  筐体
２０ｂ  第２の開口
２４  ＣＰＵ（発熱部品）
３０  放熱ユニット
３１  ファン
３２  ファンケース
３２ｂ  排気口
３５  塵埃除去機構
３６  連通路
３６ａ  第１の開口
３７  放熱体
３７ａ  フィン
３７ｂ  放熱体のファンに対向する側の面（放熱体の流入面）
３８  塵埃除去路
３９  第１のシャッタ手段
４０  第２のシャッタ手段
【図１】
0005950228.tif 000002
【図２】
0005950228.tif 000003
【図３】
0005950228.tif 000004
【図４】
0005950228.tif 000005
【図５】
0005950228.tif 000006
【図６】
0005950228.tif 000007
【図７】
0005950228.tif 000008
【図８】
0005950228.tif 000009
【図９】
0005950228.tif 000010